(57)【要約】【課題】３ビーム方式による既存の技術を用いながら、迷光による影響を円滑に抑制でき、且つ、光検出器の構成を簡素化できる互換型の光ピックアップ装置を提供する。【解決手段】分光素子１１８によって光検出器１２０上に生成される信号光領域に、ＢＤ用のセンサ群Ｂ１〜Ｂ８を配置する。回折されずに分光素子１１８を透過したＣＤ光のメインビームと２つのサブビームの０次回折光が照射される位置に、ＣＤ用のセンサ群Ｃ０１〜Ｃ０４、Ｃ１１〜Ｃ１４、Ｃ２１〜Ｃ２４を配置する。ＣＤ用のセンサ群は、ＣＤ光のメインビームを受光する４分割センサＣ０１〜Ｃ０４を含み、該４分割センサＣ０１〜Ｃ０４は、ＢＤ用のセンサ群で囲まれた領域に配置される。回折されずに分光素子１１８を透過したＢＤ光の０次回折光が、ＣＤ光のメインビームの光軸と整合する状態で、４分割センサＣ０１〜Ｃ０４に照射される。【選択図】図９
2012014767.tif 000002
【特許請求の範囲】
【請求項１】
第１のレーザ光を出射する第１の光源と、
前記第１のレーザ光とは波長が異なる第２のレーザ光を出射する第２の光源と、
前記第２のレーザ光をメインビームと２つのサブビームに分割する回折格子と、
前記第１のレーザ光と前記メインビームの光軸を一致させる結合素子と、
前記第１のレーザ光と前記第２のレーザ光をそれぞれ対応するディスクに収束させる対物レンズ部と、
前記ディスクによって反射された前記第１のレーザ光と前記第２のレーザ光を受光する一つの光検出器と、
前記ディスクによって反射された前記第１のレーザ光および前記第２のレーザ光に非点収差を導入する非点収差素子と、
前記ディスクによって反射された前記第１のレーザ光および前記第２のレーザ光が入射されるとともに、回折作用により、前記第１のレーザ光を分離させる分光素子と、を備え、
前記分光素子は、対応する前記ディスク中のターゲット記録層によって前記第１のレーザ光が反射された信号光のみが含まれる領域が、前記光検出器上において生成されるように、前記第１のレーザ光を分光するとともに、前記第２のレーザ光に対する回折が抑制されるように構成され、
前記光検出器は、分光された前記第１のレーザ光の前記信号光の照射位置に配置された第１のセンサ群と、回折されずに前記分光素子を透過した前記メインビームと２つの前記サブビームの０次回折光をそれぞれ受光する第２のセンサ群とを備え、
前記第２のセンサ群は、前記メインビームを受光する４分割センサを含み、該４分割センサは、前記第１のセンサ群で囲まれた領域に配置され、
回折されずに前記分光素子を透過した前記第１のレーザ光の０次回折光が、前記メインビームの光軸と整合する状態で、前記４分割センサに照射される、
ことを特徴とする光ピックアップ装置。
【請求項２】
請求項１に記載の光ピックアップ装置において、
前記分光素子は、分離された第１のレーザ光の前記信号光が、前記光検出器の受光面上において、正方形の異なる４つの頂角の位置に導かれるように構成されている、
ことを特徴とする光ピックアップ装置。
【請求項３】
請求項１または２に記載の光ピックアップ装置において、
前記サブビームを受光するセンサ群も前記第１のセンサ群で囲まれた領域に配置されるよう、前記回折格子と前記分光素子の回折作用が調整されている、
ことを特徴とする光ピックアップ装置。
【請求項４】
請求項１または２に記載の光ピックアップ装置において、
前記サブビームを受光するセンサ群は、前記第１のセンサ群で囲まれた領域の外側に配置され、且つ、前記メインビームの前記分光素子による回折光が前記サブビームを受光する前記センサ群に掛からないように、前記回折格子と前記分光素子の回折作用が調整されている、
ことを特徴とする光ピックアップ装置。
【請求項５】
請求項１ないし４の何れか一項に記載の光ピックアップ装置において、
前記第１のレーザ光および前記第２のレーザ光とは波長が異なる第３のレーザ光を出射する第３の光源をさらに備え、
前記第３の光源と前記第２の光源は、出射方向が同じとなるように、所定のギャップをもって、同一筐体内に配置され、
前記回折格子は、前記第２のレーザ光とともに前記第３のレーザ光をメインビームと２つのサブビームに分割し、
前記分光素子は、前記第２のレーザ光とともに前記第３のレーザ光に対する回折が抑制されるように構成され、
前記光検出器は、回折されずに前記分光素子を透過した前記第３のレーザ光の前記メインビームと２つの前記サブビームの０次回折光をそれぞれ受光する第３のセンサ群を備える、
ことを特徴とする光ピックアップ装置。
【請求項６】
請求項５に記載の光ピックアップ装置において、
前記第２のセンサ群の全てと、前記第３のセンサ群の少なくとも一部が前記第１のセンサ群で囲まれた領域に配置されるよう、前記第３の光源の配置と、前記回折格子および前記分光素子の回折作用が調整されている、
ことを特徴とする光ピックアップ装置。
【発明の詳細な説明】
【技術分野】
【０００１】
本発明は、光ピックアップ装置に関するものであり、特に、複数の記録層が積層された記録媒体に対してレーザ光を照射する際に用いて好適なものである。
【背景技術】
【０００２】
近年、光ディスクの大容量化に伴い、記録層の多層化が進んでいる。一枚のディスク内に複数の記録層を含めることにより、ディスクのデータ容量を顕著に高めることができる。記録層を積層する場合、これまでは片面２層が一般的であったが、最近では、さらに大容量化を進めるために、片面に３層以上の記録層を配することも検討されている。ここで、記録層の積層数を増加させると、ディスクの大容量化を促進できる。しかし、その一方で、記録層間の間隔が狭くなり、層間クロストークによる信号劣化が増大する。
【０００３】
記録層を多層化すると、記録／再生対象とされる記録層（ターゲット記録層）からの反射光が微弱となる。このため、ターゲット記録層の上下にある記録層から、不要な反射光（迷光）が光検出器に入射すると、検出信号が劣化し、フォーカスサーボおよびトラッキングサーボに悪影響を及ぼす惧れがある。したがって、このように記録層が多数配されている場合には、適正に迷光を除去して、光検出器からの信号を安定化させる必要がある。
【０００４】
以下の特許文献１には、記録層が多数配されている場合に、適正に迷光を除去し得る光ピックアップ装置の新たな構成が示されている。この構成によれば、光検出器の受光面上に、信号光のみが存在する領域を作ることができる。この領域に、光検出器のセンサ部を配置することで、検出信号に対する迷光による影響を抑制することができる。
【先行技術文献】
【特許文献】
【０００５】
【特許文献１】特開２００９−２１１７７０号公報
【発明の概要】
【発明が解決しようとする課題】
【０００６】
光ピックアップ装置は、ＣＤ（Compact disc）およびＤＶＤ（Digital Versatile Disc）と、ＢＤ（ブルーレイディスク）との間の互換性が要求される。このうち、ＢＤは、記録層間の間隔が他のディスクよりも狭く、また、一つのディスク中に含まれる記録層の数が、他のディスクよりも多い。このため、ＢＤでは、特に、迷光による影響を効果的に排除することが望まれる。
【０００７】
他方、ＣＤとＤＶＤについては、既に、光ピックアップ装置に関する技術が蓄積されている。このため、ＣＤとＤＶＤについては、迷光の抑制よりも、むしろ、既存の技術をそのまま適用して、光学系ないし光検出器のセンサレイアウトを簡素化するのが望ましいとも考えられる。
【０００８】
ただし、一つの検出器により、ＣＤ用、ＤＶＤ用およびＢＤ用のレーザ光を受光する場合には、光検出器のセンサレイアウトを工夫する必要がある。特に、ＣＤおよびＤＶＤについて、既存の３ビーム方式による構成を適用する場合には、光検出器上におけるセンサの数が増加するため、各波長のレーザ光を受光するセンサを効率的に配置する必要がある。
【０００９】
本発明は、このような点に鑑みてなされたものであり、３ビーム方式による既存の技術
を用いながら、迷光による影響を円滑に抑制することができ、且つ、光検出器の構成を簡素化できる互換型の光ピックアップ装置を提供することを目的とする。
【課題を解決するための手段】
【００１０】
本発明の第１の態様は、記録層を複数有する記録媒体にレーザ光を照射する光ピックアップ装置に関する。第１の態様に係る光ピックアップ装置は、第１のレーザ光を出射する第１の光源と、前記第１のレーザ光とは波長が異なる第２のレーザ光を出射する第２の光源と、前記第２のレーザ光をメインビームと２つのサブビームに分割する回折格子と、前記第１のレーザ光と前記メインビームの光軸を一致させる結合素子と、前記第１のレーザ光と前記第２のレーザ光をそれぞれ対応するディスクに収束させる対物レンズ部と、前記ディスクによって反射された前記第１のレーザ光と前記第２のレーザ光を受光する一つの光検出器と、前記ディスクによって反射された前記第１のレーザ光および前記第２のレーザ光に非点収差を導入する非点収差素子と、前記ディスクによって反射された前記第１のレーザ光および前記第２のレーザ光が入射されるとともに、回折作用により、前記第１のレーザ光を分離させる分光素子と、を備える。前記分光素子は、対応する前記ディスク中のターゲット記録層によって前記第１のレーザ光が反射された信号光のみが含まれる領域が、前記光検出器上において生成されるように、前記第１のレーザ光を分光するとともに、前記第２のレーザ光に対する回折が抑制されるように構成される。また、前記光検出器は、分光された前記第１のレーザ光の前記信号光の照射位置に配置された第１のセンサ群と、回折されずに前記分光素子を透過した前記メインビームと２つの前記サブビームの０次回折光をそれぞれ受光する第２のセンサ群とを備える。ここで、前記第２のセンサ群は、前記メインビームを受光する４分割センサを含み、該４分割センサは、前記第１のセンサ群で囲まれた領域に配置される。回折されずに前記分光素子を透過した前記第１のレーザ光の０次回折光が、前記メインビームの光軸と整合する状態で、前記４分割センサに照射される。
【発明の効果】
【００１１】
本発明によれば、３ビーム方式による既存の技術を用いながら、迷光による影響を円滑に抑制することができ、且つ、光検出器の構成を簡素化できる互換型の光ピックアップ装置を提供することができる。
【００１２】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１３】
【図１】実施形態に係る技術原理（光線の収束状態）を説明する図である。
【図２】実施形態に係る技術原理（光束の分布状態）を説明する図である。
【図３】実施形態に係る技術原理（信号光と迷光の分布状態）を説明する図である。
【図４】実施形態に係る技術原理（光束の分離方法）を説明する図である。
【図５】実施の形態に係るセンサ群の配置方法を示す図である。
【図６】実施形態に係る技術原理の好ましい適用範囲を示す図である。
【図７】実施例に係る光ピックアップ装置の光学系を示す図である。
【図８】実施例に係る分光素子の構成例を示す図である。
【図９】実施例に係る光検出器のセンサレイアウトを示す図である。
【図１０】変更例に係る光検出器のセンサレイアウトを示す図である。
【図１１】他の変更例に係る光検出器のセンサレイアウトを示す図である。
【発明を実施するための形態】
【００１４】
以下、本発明の実施の形態につき図面を参照して説明する。
【００１５】
＜技術的原理＞
まず、図１ないし図６を参照して、本実施の形態に適用される技術的原理について説明する。
【００１６】
図１は、光線の収束状態を示す図である。同図（ａ）は、ターゲット記録層によって反射されたレーザ光（信号光）、ターゲット記録層よりも深い層によって反射されたレーザ光（迷光１）、ターゲット記録層よりも浅い層によって反射されたレーザ光（迷光２）の収束状態を示す図である。同図（ｂ）は、本原理に用いるアナモレンズの構成を示す図である。
【００１７】
同図（ｂ）を参照して、アナモレンズは、レンズ光軸に平行に入射するレーザ光に対し、曲面方向と平面方向に収束作用を付与する。ここで、曲面方向と平面方向は、互いに直交している。また、曲面方向は、平面方向に比べ曲率半径が小さく、アナモレンズに入射するレーザ光を収束させる効果が大きい。
【００１８】
なお、ここでは、アナモレンズにおける非点収差作用を簡単に説明するために、便宜上、“曲面方向”と“平面方向”と表現しているが、実際には、互いに異なる位置に焦線を結ぶ作用がアナモレンズによって生じれば良く、図１（ｂ）中の“平面方向”におけるアナモレンズの形状を平面に限定するものではない。なお、アナモレンズに収束状態でレーザ光が入射する場合は、“平面方向”におけるアナモレンズの形状は直線状（曲率半径＝∞）となり得る。
【００１９】
同図（ａ）を参照して、アナモレンズによって収束させられた信号光は、曲面方向および平面方向の収束により、それぞれ異なる位置で焦線を結ぶ。曲面方向の収束による焦線位置（Ｓ１）は、平面方向の収束による焦線位置（Ｓ２）よりも、アナモレンズに近い位置となり、信号光の収束位置（Ｓ０）は、曲面方向および平面方向による焦線位置（Ｓ１）、（Ｓ２）の中間位置となる。
【００２０】
アナモレンズによって収束させられた迷光１についても同様に、曲面方向の収束による焦線位置（Ｍ１１）は、平面方向の収束による焦線位置（Ｍ１２）よりも、アナモレンズに近い位置となる。アナモレンズは、迷光１の平面方向の収束による焦線位置（Ｍ１２）が、信号光の曲面方向の収束による焦線位置（Ｓ１）よりも、アナモレンズに近い位置となるよう、設計されている。
【００２１】
アナモレンズによって収束させられた迷光２についても同様に、曲面方向の収束による焦線位置（Ｍ２１）は、平面方向の収束による焦線位置（Ｍ２２）よりも、アナモレンズに近い位置となる。アナモレンズは、迷光２の曲面方向の収束による焦線位置（Ｍ２１）は、信号光の平面方向の収束による焦線位置（Ｓ２）よりも、アナモレンズから遠い位置となるよう、設計されている。
【００２２】
また、焦線位置（Ｓ１）と焦線位置（Ｓ２）の間の収束位置（Ｓ０）において、信号光のビームが最小錯乱円となる。
【００２３】
以上を考慮して、面Ｓ０上における信号光および迷光１、２の照射領域との関係について検討する。
【００２４】
ここでは、図２（ａ）に示すように、アナモレンズが、４つの領域Ａ〜Ｄに区分される。この場合、光束領域Ａ〜Ｄに入射した信号光は、面Ｓ０上において、図２（ｂ）のように分布する。また、光束領域Ａ〜Ｄに入射した迷光１は、面Ｓ０上において、図２（ｃ）
のように分布する。光束領域Ａ〜Ｄに入射した迷光２は、面Ｓ０上において、図２（ｄ）のように分布する。
【００２５】
ここで、面Ｓ０上における信号光と迷光１、２を光束領域毎に取り出すと、各光の分布は、図３（ａ）ないし（ｄ）のようになる。この場合、各光束領域の信号光には、同じ光束領域の迷光１および迷光２の何れも重ならない。このため、各光束領域内の光束（信号光、迷光１、２）を異なる方向に離散させた後に、信号光のみをセンサにて受光するように構成すると、対応するセンサには信号光のみが入射し、迷光の入射を抑止することができる。これにより、迷光による検出信号の劣化を回避することができる。
【００２６】
このように、領域Ａ〜Ｄを通る光を分散させて面Ｓ０上において離間させることにより、信号光のみを取り出すことができる。本実施の形態は、この原理を基盤とするものである。
【００２７】
図４は、図２（ａ）に示す４つの領域Ａ〜Ｄを通る光束（信号光、迷光１、２）の進行方向を、それぞれ、異なる方向に、同じ角度だけ変化させたときの、面Ｓ０上における信号光と迷光１、２の分布状態を示す図である。同図（ａ）は、アナモレンズの光軸方向（アナモレンズ入射時のレーザ光の進行方向）からアナモレンズを見た図、同図（ｂ）は、面Ｓ０における信号光、迷光１、２の分布状態を示す図である。
【００２８】
同図（ａ）では、領域Ａ〜Ｄを通った光束（信号光、迷光１、２）の進行方向が、入射前の各光束の進行方向に対して、それぞれ、方向Ｄａ、Ｄｂ、Ｄｃ、Ｄｄに、同じ角度量α（図示せず）だけ変化する。なお、方向Ｄａ、Ｄｂ、Ｄｃ、Ｄｄは、平面方向と曲面方向に対して、それぞれ、４５°の傾きを持っている。
【００２９】
この場合、方向Ｄａ、Ｄｂ、Ｄｃ、Ｄｄにおける角度量αを調節することにより、面Ｓ０上において、同図（ｂ）に示すように各光束領域の信号光と迷光１、２を分布させることができる。その結果、図示の如く、信号光のみが存在する信号光領域を面Ｓ０上に設定することができる。この信号光領域に光検出器のセンサ群を配置することにより、各領域の信号光のみを、対応するセンサにて受光することができる。
【００３０】
図５は、センサ群の配置方法を説明する図である。同図（ａ）は、ディスクからの反射光（信号光）の光束領域を示す図であり、同図（ｂ）は、図１（ａ）の構成において、アナモレンズの配置位置と面Ｓ０に、それぞれ、アナモレンズと、従来の非点収差法に基づく光検出器（４分割センサ）を配置したときの、光検出器上における信号光の分布状態を示す図である。図５（ｃ）および（ｄ）は、面Ｓ０上における、上述の原理に基づく信号光の分布状態とセンサレイアウトを示す図である。
【００３１】
トラック溝による信号光の回折の像（トラック像）の方向は、平面方向および曲面方向に対して４５°の傾きを持っている。同図（ａ）において、トラック像の方向が左右方向であるとすると、同図（ｂ）ないし（ｄ）では、信号光におけるトラック像の方向は、上下方向となる。なお、同図（ａ）および（ｂ）には、説明の便宜上、光束が８つの光束領域ａ〜ｈに区分されている。また、トラック像が実線で示され、オフフォーカス時のビーム形状が点線によって示されている。
【００３２】
なお、トラック溝による信号光の０次回折像と一次回折像の重なり状態は、波長／（トラックピッチ×対物レンズＮＡ）で求められることが知られており、同図（ａ）、（ｂ）、（ｄ）のように、４つの光束領域ａ、ｄ、ｅ、ｈに一次回折像が収まる条件は、波長／（トラックピッチ×対物レンズＮＡ）＞√２となる。
【００３３】
従来の非点収差法では、光検出器のセンサＰ１〜Ｐ４（４分割センサ）が同図（ｂ）のように設定される。この場合、光束領域ａ〜ｈの光強度に基づく検出信号成分をＡ〜Ｈで表すと、フォーカスエラー信号ＦＥとプッシュプル信号ＰＰは、
ＦＥ＝（Ａ＋Ｂ＋Ｅ＋Ｆ）−（Ｃ＋Ｄ＋Ｇ＋Ｈ）    …（１）
ＰＰ＝（Ａ＋Ｂ＋Ｇ＋Ｈ）−（Ｃ＋Ｄ＋Ｅ＋Ｆ）    …（２）
の演算により求まる。
【００３４】
これに対し、上記図５（ｂ）の分布状態では、上述の如く、信号光領域内に、図５（ｃ）の状態で信号光が分布している。この場合、同図（ａ）に示す光束領域ａ〜ｈを通る信号光は、同図（ｄ）のようになる。すなわち、同図（ａ）の光束領域ａ〜ｈを通る信号光は、光検出器のセンサが置かれる面Ｓ０上では、同図（ｄ）に示す光束領域ａ〜ｈへと導かれる。
【００３５】
したがって、同図（ｄ）に示す光束領域ａ〜ｈの位置に、同図（ｄ）に重ねて示す如くセンサＰ１１〜Ｐ１８を配置すれば、同図（ｂ）の場合と同様の演算処理によって、フォーカスエラー信号とプッシュプル信号を生成することができる。すなわち、この場合も、光束領域ａ〜ｈの光束を受光するセンサからの検出信号をＡ〜Ｈで表すと、同図（ｂ）の場合と同様、フォーカスエラー信号ＦＥとプッシュプル信号ＰＰは、上記式（１）、（２）の演算により取得することができる。
【００３６】
以上のように、本原理によれば、従来の非点収差法に基づく場合と同様の演算処理にて、迷光の影響が抑制されたフォーカスエラー信号とプッシュプル信号（トラッキングエラー信号）を生成することができる。
【００３７】
なお、上記原理による効果は、図６に示すように、迷光１の平面方向の焦線位置が面Ｓ０（信号光のスポットが最小錯乱円となる面）よりも非点収差素子に接近した位置にあり、且つ、迷光２の曲面方向の焦線位置が面Ｓよりも非点収差素子から離れた位置にあるときに奏され得るものである。すなわち、この関係が満たされていれば、信号光と迷光１、２の分布は上記図４に示す状態となり、面Ｓ０において、信号光と迷光１、２が重なり合わないようすることができる。換言すれば、この関係が満たされる限り、たとえ、信号光の曲面方向の焦線位置よりも迷光１の平面方向の焦線位置が面Ｓ０に接近し、あるいは、信号光の平面方向の焦線位置よりも迷光２の曲面方向の焦線位置が面Ｓ０に接近したとしても、上記原理に基づく効果は奏され得る。
【００３８】
＜実施例＞
以下、上記原理に基づく実施例について説明する。本実施例は、ＢＤ、ＤＶＤおよびＣＤに対応可能な互換型の光ピックアップ装置に本発明を適用したものである。上記原理は、ＢＤ用の光学系にのみ適用され、ＣＤ用の光学系とＤＶＤ用の光学系には従来の非点収差法によるフォーカス調整技術と３ビーム方式（インライン方式）によるトラッキング調整技術が適用されている。なお、本実施例におけるＢＤ用レーザ光、ＣＤ用レーザ光およびＤＶＤ用レーザ光は、それぞれ、特許請求の範囲における第１のレーザ光、第２のレーザ光および第３のレーザ光に対応する。
【００３９】
図７（ａ）および（ｂ）は、本実施例に係る光ピックアップ装置の光学系を示す図である。図７（ａ）は、立ち上げミラー１１４、１１５よりもディスク側の構成を省略した光学系の平面図、図７（ｂ）は、立ち上げミラー１１４、１１５以降の光学系を側面から透視した図である。
【００４０】
図示の如く、光ピックアップ装置は、半導体レーザ１０１と、１／２波長板１０２と、ダイバージングレンズ１０３と、２波長レーザ１０４と、回折格子１０５と、ダイバージ
ングレンズ１０６と、複合プリズム１０７と、フロントモニタ１０８と、コリメートレンズ１０９と、駆動機構１１０と、反射ミラー１１１、１１２と、立ち上げミラー１１４、１１５と、２波長対物レンズ１１６と、ＢＤ対物レンズ１１７と、分光素子１１８と、アナモレンズ１１９と、光検出器１２０を備えている。
【００４１】
半導体レーザ１０１は、波長４０５ｎｍ程度のＢＤ用レーザ光（以下、「ＢＤ光」という）を出射する。１／２波長板１０２は、ＢＤ光の偏光方向を調整する。ダイバージングレンズ１０３は、半導体レーザ１０１と複合プリズム１０７との距離を短縮するようＢＤ光の焦点距離を調整する。
【００４２】
半導体レーザ１０４は、波長７８５ｎｍ程度のＣＤ用レーザ光（以下、「ＣＤ光」という）と、波長６６０ｎｍ程度のＤＶＤ用レーザ光（以下、「ＤＶＤ光」という）をそれぞれ出射する２つのレーザ素子を同一ＣＡＮ内に収容している。
【００４３】
図７（ｃ）は、半導体レーザ１０４内におけるレーザ素子（レーザ光源）の配置パターンを示す図である。同図は、半導体レーザ１０４をビーム出射側から見たときのものである。同図において、ＣＥおよびＤＥは、それぞれ、ＣＤ光およびＤＶＤ光の発光点を示している。ＣＤ光およびＤＶＤ光の発光点間のギャップはＧである。
【００４４】
なお、ＣＤ光の発光点ＣＥとＤＶＤ光の発光点ＤＥとの間のギャップＧは、後述の如く、ＤＶＤ光が、ＤＶＤ光用のセンサパターンに適正に照射されるように設定される。このように、２つの光源を同一ＣＡＮ内に収容することで、複数ＣＡＮの構成に比べて光学系を簡素化することができる。
【００４５】
図７（ａ）に戻り、回折格子１０５は、ＣＤ光およびＤＶＤ光を、それぞれ、メインビームと２つのサブビームに分割する。回折格子１０５は、２段ステップ型の回折格子である。また、回折格子１０５には、１／２波長板が一体化されている。一体化された１／２波長板によって、ＣＤ光とＤＶＤ光の偏光方向が調整される。ダイバージングレンズ１０６は、半導体レーザ１０４と複合プリズム１０７との距離を短くするようＣＤ光およびＤＶＤ光の焦点距離を調整する。
【００４６】
複合プリズム１０７は、内部に、ダイクロイック面１０７ａと、ＰＢＳ（PolarizingBeam Splitter）面１０７ｂを有している。ダイクロイック面１０７ａは、ＢＤ光を反射し
、ＣＤ光とＤＶＤ光を透過する。半導体レーザ１０１、２波長レーザ１０４および複合プリズム１０７は、ダイクロイック面１０７ａにより反射されたＢＤ光の光軸とダイクロイック面１０７ａを透過したＣＤ光の光軸が互いに整合するように、配置される。ダイクロイック面１０７ａを透過したＤＶＤ光の光軸は、ＢＤ光とＣＤ光の光軸から、図７（ｃ）に示すギャップＧだけずれる。
【００４７】
ＢＤ光、ＣＤ光およびＤＶＤ光は、それぞれ、一部がＰＢＳ面１０７ｂによって反射され、大部分がＰＢＤ面１０７ｂを透過する。このようにＢＤ光、ＣＤ光およびＤＶＤ光の一部がＰＢＳ面１０７ｂによって反射されるよう、１／２波長板１０２と、回折格子１０５（一体化された１／２波長板）が配置される。
【００４８】
なお、このように回折格子１０５が配置されると、ＣＤ光のメインビームおよび２つのサブビームと、ＤＶＤ光のメインビームおよび２つのサブビームは、それぞれ、ＣＤおよびＤＶＤのトラックに沿うようになり、ＣＤおよびＤＶＤによって反射されたメインビームと２つのサブビームは、後述の如く、図９のＣＤ用のセンサ群と、ＤＶＤ用のセンサ群に照射される。換言すると、ＣＤ光のメインビームおよび２つのサブビームと、ＤＶＤ光のメインビームおよび２つのサブビームが図９のＣＤ用のセンサ群と、ＤＶＤ用のセンサ
群に適正に照射されるように回折格子１０５が配置されると、ＰＢＳ面１０７ｂによって所定の割合だけ反射されるように、ＣＤ光とＤＶＤ光の偏光方向が調整される。
【００４９】
図７（ａ）に戻り、ＰＢＳ面１０７ｂにより反射されたＢＤ光、ＣＤ光、ＤＶＤ光は、フロントモニタ１０８に照射される。フロントモニタ１０８は、受光光量に応じた信号を出力する。フロントモニタ１０８からの信号は、半導体レーザ１０１と２波長レーザ１０４の出射パワー制御に用いられる。
【００５０】
コリメートレンズ１０９は、複合プリズム１０７側から入射するＢＤ光、ＣＤ光およびＤＶＤ光を平行光に変換する。駆動機構１１０は、収差補正の際に、制御信号に応じてコリメートレンズ１０９を光軸方向に移動させる。駆動機構１１０は、コリメートレンズ１０９を保持するホルダ１１０ａと、ホルダ１１０ａをコリメートレンズ１０９の光軸方向に送るためのギア１１０ｂとを備え、ギア１１０ｂは、モータ１１０ｃの駆動軸に連結されている。
【００５１】
コリメートレンズ１０９により平行光とされたＢＤ光、ＣＤ光およびＤＶＤ光は、２つの反射ミラー１１１、１１２により反射され、１／４波長板１１３に入射する。１／４波長板１１４は、反射ミラー１１２側から入射するＢＤ光、ＣＤ光およびＤＶＤ光を円偏光に変換するとともに、立ち上げミラー１１４側から入射するＢＤ光、ＣＤ光およびＤＶＤ光を、反射ミラー１１２側から入射する際の偏光方向に直交する直線偏光に変換する。これにより、ディスクからの反射光は、ＰＢＳ面１０７ｂにより反射される。
【００５２】
立ち上げミラー１１４は、ダイクロイックミラーであり、ＢＤ光を透過するとともに、ＣＤ光およびＤＶＤ光を２波長対物レンズ１１６に向かう方向に反射する。立ち上げミラー１１５は、ＢＤ光をＢＤ対物レンズ１１７に向かう方向に反射する。
【００５３】
２波長対物レンズ１１６は、ＣＤ光およびＤＶＤ光を、それぞれ、ＣＤおよびＤＶＤに対して適正に収束させるよう構成されている。また、ＢＤ対物レンズ１１７は、ＢＤ光をＢＤに適正に収束させるよう構成されている。２波長対物レンズ１１６とＢＤ対物レンズ１１７は、ホルダ１３１に保持された状態で、対物レンズアクチュエータ１３２により、フォーカス方向およびトラッキング方向に駆動される。
【００５４】
分光素子１１８は、入射面にステップ型の回折パターン（回折ホログラム）を有する。分光素子１１８に入射したＢＤ光、ＣＤ光およびＤＶＤ光のうち、ＢＤ光は、図４（ａ）に示すように、それぞれ４つの光束に区分され、分光素子１１８による回折作用によって、各光束の進行方向が変えられる。ＣＤ光とＤＶＤ光は、大半が分光素子１１８による回折作用を受けずに、分光素子１１８を透過する。
【００５５】
アナモレンズ１１９は、分光素子１１８側から入射したＢＤ光、ＣＤ光およびＤＶＤ光に非点収差を導入する。アナモレンズ１１９は、上記技術的原理における非点収差素子に相当する。分光素子１１８による光束の分割と、アナモレンズ１１９の平面方向および曲面方向との関係は、図４（ａ）のように調整される。
【００５６】
アナモレンズ１１９を透過したＢＤ光、ＣＤ光およびＤＶＤ光は、光検出器１２０に入射する。光検出器１２０は、各光を受光するためのセンサレイアウトを有している。光検出器１２０のセンサレイアウトは、追って、図９を参照して説明する。
【００５７】
図８（ａ）は、分光素子１１８の構成を示す図である。同図は、分光素子１１８を複合プリズム１０７側から見たときの平面図である。
【００５８】
分光素子１１８は、正方形形状の透明板にて形成され、光入射面にステップ型の回折パターン（回折ホログラム）が形成されている。光入射面は、図示の如く、４つの回折領域１１８ａ〜１１８ｄに区分されている。これら回折領域１１８ａ〜１１８ｄに、それぞれ、図４（ａ）の光束領域Ａ〜Ｄを通過したＢＤ光が入射するよう、分光素子１１８が配置される。
【００５９】
回折領域１１８ａ〜１１８ｄは、入射されたＢＤ光を＋１次の回折作用により方向Ｖａ〜Ｖｄに回折させる。方向Ｖａ〜Ｖｄは、図４（ａ）の方向Ｄａ〜Ｄｄに一致している。また、各領域は、ＢＤ光に対する＋１次の回折角が互いに同じとなっている。なお、ＣＤ光とＤＶＤ光に対する回折領域１１８ａ〜１１８ｄの回折効率は０ではない。このため、ＣＤ光とＤＶＤ光も、一部が、回折領域１１８ａ〜１１８ｄによって、方向Ｖａ〜Ｖｄに回折される。
【００６０】
ここで、回折角は、回折次数に波長を乗じた指数に比例する。本実施例では、ＢＤ光では、回折次数×波長＝４０５となり、ＣＤ光では、回折次数×波長＝７８５となり、ＤＶＤ光では、回折次数×波長＝６６０となる。よって、ＣＤ光の回折角は、ＢＤ光の回折角の約２倍となり、ＤＶＤ光の回折角は、ＢＤ光の回折角の約１．５倍となる。
【００６１】
このように回折領域１１８ａ〜１１８ｄを構成することで、ＢＤ光は、光検出器１１２０の受光面上において、図４（ｂ）のように分布する。図示の如く、光検出器１２０の受光面上には、ＢＤ光の迷光が掛からないＢＤ光の信号光領域が生じる。本実施例では、ＢＤ光の信号光領域の角部分にセンサが配置される。これにより、ＢＤ光の信号光のみが、ＢＤ用のセンサ群により受光される。
【００６２】
回折領域１１８ａ〜１１８ｄは、たとえば、８段ステップ型の回折パターンとされる。図８（ｂ）は、８段ステップ型の回折パターンにおける、１ステップあたりの段差と回折効率との関係をシミュレーションした特性図である。この場合、１ステップあたりの段差が７．３５μｍに設定される。これにより、ＢＤ光の＋１次回折光の回折効率を８１％としながら、ＣＤ光とＤＶＤ光の０次回折光の回折効率を、それぞれ、９９％および９２％とすることができる。この場合、ＢＤ光の０次回折効率は、７％となる。
【００６３】
なお、回折領域１１８ａ〜１１８ｄに配される回折パターンのステップ数を他のステップ数にすることもできる。また、回折領域１１８ａ〜１１８ｄを、たとえば、特開２００６-７３０４２号公報に記載の技術を用いて構成することもできる。この技術を用いると
、ＢＤ光、ＣＤ光およびＤＶＤ光に対する回折効率を、さらに細かく調整することができる。
【００６４】
図９（ａ）に、光検出器１２０のセンサレイアウトを示す。図９（ｂ）は、光検出器１２０の受光面上におけるＢＤ光、ＣＤ光、ＤＶＤ光の照射状態を示す図である。
【００６５】
光検出器１２０は、分光素子１１８によって分離されたＢＤ光を受光するＢＤ用のセンサ群Ｂ１〜Ｂ８と、分光素子１１８によって分離されずに分光素子１１８を透過したＣＤ光を受光するＣＤ用のセンサ群Ｃ０１〜Ｃ０４、Ｃ１１〜Ｃ１４、Ｃ２１〜Ｃ２４と、分光素子１１８によって分離されずに分光素子１１８を透過したＤＶＤ光を受光するＤＶＤ用のセンサ群Ｄ０１〜Ｄ０４、Ｄ１１〜Ｄ１４、Ｄ２１〜Ｄ２４とを有する。これらセンサ群は、図１に示す面Ｓ０上に配置される。
【００６６】
分光素子１１８によって４つに分割されたＢＤ光は、図９（ｂ）に示すように、それぞれ、正方形の信号光領域の４つの角部分に照射される。図９（ａ）に示す如く、４つに分割されたＢＤ光をそれぞれ受光可能なように、信号光領域の４つの角部分に、それぞれ、
センサＢ１、Ｂ２、センサＢ３、Ｂ４、センサＢ５、Ｂ６、センサＢ７、Ｂ８が配置される。
【００６７】
本実施例では、上記のようにダイクロイック面１０７ａによってＢＤ光とＣＤ光の光軸が整合しているため、光検出器１２０の受光面上では、図９（ｂ）に示すように、ＢＤ光の信号光領域の中心に、ＣＤ光のメインビーム（０次回折光）が照射され、同じく、ＢＤ光の０次回折光も、ＢＤ光の信号光領域の中心に照射される。図９（ａ）に示すように、ＣＤ光のメインビームが照射される信号光領域の中心位置に、４分割センサＣ０１〜Ｃ０４が配置される。４分割センサＣ０１〜Ｃ０４には、ＢＤ光の０次回折光も照射される。ＣＤ光のメインビームの中心は、４分割センサＣ０１〜Ｃ０４の分割線の交点に位置づけられる。
【００６８】
ＣＤ光の２つのサブビームは、図９（ｂ）に示すように、光検出器１２０の受光面上において、メインビームに対し、トラック像の方向に並ぶ。本実施例では、いわゆるインライン方式の３ビーム法が用いられている。図９（ａ）に示すように、これら２つのサブビームの照射位置に、それぞれ、４分割センサＣ１１〜Ｃ１４と、４分割センサＣ２１〜Ｃ２４が配置される。これら２つのサブビームの中心は、それぞれ、４分割センサＣ１１〜Ｃ１４の分割線の交点と、４分割センサＣ２１〜Ｃ２４の分割線の交点に位置づけられる。
【００６９】
上記のように、本実施例では、ＤＶＤ光の光軸はＣＤ光の光軸からずれているため、図９（ｂ）に示すように、光検出器１２０の受光面上において、ＤＶＤ光のメインビームと２つのサブビームは、ＣＤ光のメインビームと２つのサブビームからずれた位置に照射される。図９（ａ）に示すように、ＤＶＤ光のメインビームと２つのサブビームの照射位置に、それぞれ、４分割センサＤ０１〜Ｄ０４と、４分割センサＤ１１〜Ｄ１４と、４分割センサＤ２１〜Ｄ２４が配置される。これらメインビームと２つのサブビームの中心は、それぞれ、４分割センサＤ１１〜Ｄ１４の分割線の交点と、４分割センサＤ１１〜Ｄ１４の分割線の交点と、４分割センサＤ２１〜Ｄ２４の分割線の交点に位置づけられる。
【００７０】
本実施例では、図９（ａ）に示すように、ＣＤ用のセンサ群の全てと、ＤＶＤ用のセンサ群の一部が、ＢＤ用のセンサ群によって囲まれた領域に含まれるよう、光検出器１２０のセンサレイアウトが設定されている。換言すれば、ＢＤ光の信号光領域内に、ＣＤ光のメインビームおよび２つのサブビームと、ＤＶＤ光のメインビームと１つのサブビームが照射されるよう、回折格子１０５と分光素子１１８の回折作用が調整され、且つ、２波長レーザ１０４の位置が調整されている。
【００７１】
図９（ｂ）において、信号光領域の中心からＢＤ光の頂点までの距離Ｐは、分光素子１１８の回折領域１１８ａ〜１１８ｄによる回折角の大きさによって決まる。また、ＣＤ光のメインビームとサブビームとの間の距離Ｑは、回折格子１０５による回折角の大きさによって決まる。
【００７２】
本実施例では、距離Ｐが距離Ｑよりも大きくなるよう、回折格子１０５と分光素子１１８の回折角が調整される。より詳細には、ＣＤ光のサブビームを受光する４分割センサＣ１１〜Ｃ１４、Ｃ２１〜Ｃ２４が、ＢＤ光用のセンサＢ１、Ｂ２、Ｂ５、Ｂ６に掛からない程度に、距離Ｐが距離Ｑよりも大きくなるように、回折格子１０５と分光素子１１８の回折角が調整される。回折角は、回折格子１０５と分光素子１１８の格子ピッチにより決まる。
【００７３】
なお、ＤＶＤ光のメインビームとサブビームとの間の距離Ｒは、ＣＤ光と同様、回折格子１０５による回折角の大きさによって決まる。距離Ｒは、Ｒ＝Ｑ×（６６０／７８５）
であり、距離Ｑよりも小さくなる。
【００７４】
ＣＤ光のメインビームとＤＶＤ光のメインビームとの距離Ｓは、図７（ｃ）に示すＣＤ光、ＤＶＤ光の発光点間のギャップＧによって決まる。また、光検出器１２０の受光面上におけるＣＤ光のメインビームとＤＶＤ光のメインビームの位置関係は、ＣＤ光の光軸を中心に２波長レーザ１０４を回転させることにより変化する。たとえば、ＣＤ光の光軸を中心に２波長レーザ１０４を回転させると、図９（ｂ）に破線で示すように、ＤＶＤ光のメインビームの位置が、ＣＤ光のメインビームの周りに回転する。回転後のＤＶＤ光のメインビームと、ＣＤ光のメインビームとの距離Ｓは、変わらない。また、ＣＤ光の２つのサブビームは、回転後のメインビームに対し、トラック像方向に並ぶ。回転後のＣＤ光のメインビームと２つのサブビームとの距離Ｒは、変わらない。
【００７５】
本実施例では、ＤＶＤ光のメインビームと１つのサブビームが信号光領域に含まれるよう、ＣＤ光、ＤＶＤ光の発光点間のギャップＧと、２波長レーザ１０４の位置が調整される。より詳細には、ＤＶＤ光のサブビームを受光する４分割センサＤ１１〜Ｄ１４またはＤ２１〜Ｄ２４が、ＢＤ光用のセンサＢ１、Ｂ２、Ｂ５、Ｂ６に掛からないように、ＣＤ光、ＤＶＤ光の発光点間のギャップＧと、２波長レーザ１０４の位置が調整される。
【００７６】
このように、光ピックアップ装置の光学系の各部を調整することで、図９（ａ）に示すセンサレイアウトが設定される。
【００７７】
本実施例によれば、ＣＤ用のセンサ群の全てと、ＤＶＤ用のセンサ群の一部が、ＢＤ用のセンサ群によって囲まれた領域に含まれるように、光検出器１２０のセンサレイアウトが設定されるため、図９（ａ）に示すように、センサレイアウトをコンパクトにでき、結果、光検出器１２０を小型化することができる。
【００７８】
また、本実施例によれば、ＢＤ光の０次回折光がＣＤ用の４分割センサＣ０１〜Ｃ０４により受光されるため、ＢＤ光出射時に４分割センサＣ０１〜Ｃ０４からの出力信号を用いて、光学系の位置調整を行うことができる。たとえば、ＢＤ光を出射させながら、ＢＤ対物レンズ１１７に対するフォーカスサーボを実行し、ＢＤ光の０次回折光が４分割センサＣ０１〜Ｃ０４に均等に掛かるように、光検出器１２０の位置を調整する。その後、ＢＤ光の＋１次回折光がＢＤ用のセンサＢ１〜Ｂ８に均等に掛かるように、分光素子１１８の位置調整を行う。こうして、光検出器１２０と分光素子１１８の位置調整が終了した後、ＣＤ光を発光させ、ＣＤ光のメインビームが４分割センサＣ０１〜Ｃ０２に均等に掛かるように、ＣＤ光の光軸に垂直な方向における２波長レーザ１０４の位置を調整する。このように、本実施の形態によれば、ＢＤ光を発光させたときの４分割センサＣ０１〜Ｃ０４の出力信号を用いて、光学系の調整を行うことができる。
【００７９】
また、本実施例では、信号光領域が正方形であるため、センサレイアウトをコンパクトにすることができる。
【００８０】
さらに、本実施例では、層間ピッチが小さく層数が多いために迷光の影響を受け易いＢＤ用の光学系に対して、上記原理に基づく迷光除去手段が用いられるため、多数の記録層を有するＢＤに対しても、円滑に、記録／再生動作を行うことができる。
【００８１】
以上、本発明の実施例について説明したが、本発明は、上記実施例に何ら制限されるものではなく、また、本発明の実施例も上記以外に種々の変更が可能である。
【００８２】
たとえば、上記実施例における図９（ａ）のセンサレイアウトを、図１０のように変更することも可能である。この変更例では、ＣＤ光のメインビームを受光する４分割センサ
Ｃ０１〜Ｃ０４のみが、ＢＤ用のセンサＢ１〜Ｂ８で囲まれた領域内に含まれる。この変更例では、図９（ｂ）の距離Ｐが距離Ｑよりも小さくなる。このため、分光素子１１８の回折角は、上記実施例よりも小さくなり、また、回折格子１０５の回折角は、上記実施例よりも大きくなる。この変更例では、図９（ａ）の構成に比べ、センサ群の集積化を図ることができる。
【００８３】
しかしながら、この変更例では、分光素子１１８の回折角が小さいため、信号生成に不要なＣＤ光とＤＶＤ光のメインビームの＋１次回折光（メイン回折光）が、それぞれ、ＣＤ光のサブビームを受光する４分割センサＣ１１〜Ｃ１４、Ｃ２１〜Ｃ２４と、ＤＶＤ光のサブビームを受光する４分割センサＤ１１〜Ｄ１４、Ｄ２１〜Ｄ２４の近傍に照射され、これら１次回折光（メイン回折光）が、サブビームの受光信号に悪影響を及ぼす惧れがある。サブビームの強度はメインビームの強度よりも数段小さいため、メインビームの＋１次回折光が、サブビーム受光用の４分割センサに掛かると、サブビームの受光信号に劣化が生じる惧れがある。
【００８４】
したがって、この変更例では、ＣＤ光とＤＶＤ光の＋１次回折光（メイン回折光）が、サブビーム受光用の４分割センサに掛からないよう、図１０中の距離Ｐ、Ｐ’、Ｑ、Ｒ、Ｔを設定する必要がある。上記のように、距離Ｐは、分光素子１１８の回折角により決まり、距離Ｑと距離Ｒは、回折格子１０５の回折角によって決まる。４分割センサＣ０１〜Ｃ０４の中心から、ＣＤ光のメインビームの１次回折光（メイン回折光）までの距離Ｐ’は、Ｐ’＝Ｐ×（７８５／４０５）である。また、４分割センサＤ０１〜Ｄ０４の中心から、ＤＶＤ光のメインビームの１次回折光（メイン回折光）までの距離Ｔは、Ｔ＝Ｐ×（６６０／４０５）である。
【００８５】
本変更例では、ＣＤ光とＤＶＤ光のメインビームの＋１次回折光が、サブビーム受光用の４分割センサに掛からず、且つ、各センサが互いに重ならないように、距離Ｐ、Ｐ’、Ｑ、Ｒ、Ｔが設定され、それに応じて、分光素子１１８と回折格子１０５の回折角が設定される。
【００８６】
なお、本変更例では、ＤＶＤ光用のセンサ群がＢＤ光用のセンサ群に重ならないよう、距離Ｓが広げられる。距離Ｓの調整は、上記のように、２波長レーザ１０４内のＣＤ光とＤＶＤ光の発光点ＣＥ、ＤＥ間のギャップＧを変えることにより行われる。
【００８７】
本変更例では、このように、ＣＤ光とＤＶＤ光の＋１次回折光を考慮して、センサレイアウトを調整する必要がある。これに対し、図９（ａ）のセンサレイアウトでは、ＢＤ光の信号光領域内に、ＣＤ用のセンサ群が完全に収まり、さらに、ＤＶＤ用のセンサ群が略収まっているため、ＣＤ光とＤＶＤ光の＋１次回折光の影響を考慮する必要がない。図９（ａ）の構成では、ＣＤ光とＤＶＤ光の＋１次回折光は、信号光領域から大きく離れた位置に照射される。よって、サブビームの受光信号に劣化が生じる惧れは全くない。
【００８８】
また、上記実施例では、ＣＤ光の光軸をＢＤ光の光軸に一致させたが、ＤＶＤ光の光軸をＢＤ光の光軸に一致させても良い。たとえば、図７（ｃ）のＣＤ光とＤＶＤ光の発光点の位置を入れ替えても良い。この場合、ＣＤ用のセンサ群とＤＶＤ用のセンサ群は、図１１（ａ）のように配置される。ここで、回折格子１０５におけるＤＶＤ光の回折角は、ＣＤ光の回折角よりも小さいため、受光面上におけるＤＶＤ光のメインビームとサブビームとの距離Ｒは、ＣＤ光のメインビームとサブビームとの距離Ｑよりも小さい。よって、図１１（ａ）の構成では、ＢＤ光の信号光領域を、図９（ａ）の場合よりも縮小することができ、センサレイアウトをさらにコンパクトにすることができる。なお、図１１（ｂ）は、比較のため図９（ａ）のセンサレイアウトをそのまま転写したものである。図１１（ａ）には、図１１（ｂ）の信号光領域が、縮小前の信号光領域として、破線で示されている
。
【００８９】
さらに、上記実施例では、ＣＤ用のレーザ光源とＤＶＤ用のレーザ光源を同一ＣＡＮ内に収容したが、ＢＤ用のレーザ光源と、ＣＤ用またはＤＶＤ用のレーザ光源を同一ＣＡＮ内に収容するようにし、これに応じて、光学系を変更することもできる。たとえば、ＢＤ用のレーザ光源とＤＶＤ用のレーザ光源が同一ＣＡＮ内に収容される場合、図７（ａ）の半導体レーザ１０１は２波長レーザに変更され、ダイクロイック面１０７ａは、ＢＤ光とＣＤ光を反射し、ＤＶＤ光を透過するよう変更される。さらに、半導体レーザ１０１と複合プリズム１０７との間に、ＣＤ光にのみ作用する３ビーム生成用の回折格子が追加される。
【００９０】
また、上記実施例では、分光素子１１８がアナモレンズ１１９の前段に配置されたが、分光素子１１８をアナモレンズ１１９の後段に配置しても良く、あるいは、アナモレンズ１１９の入射面に、分光素子１１９と同様の回折作用をレーザ光に付与する回折パターンを一体的に配しても良い。
【００９１】
なお、上記実施例では、ＢＤ、ＣＤ、ＤＶＤに対応可能な光ピックアップ装置を示したが、波長が異なる２つのレーザ光のみを用いる互換型の光ピックアップ装置に本発明を適用することもできる。この場合、これら２つのレーザ光は、たとえば、上記実施例と同様、ダイクロイック面１０７ａによって光軸が整合される。また、光検出器１２０は、図９（ａ）、図１０のセンサレイアウトからＤＶＤ用のセンサ群が省略されたようなセンサレイアウトとされる。
【００９２】
さらに、上記実施例では、２つの対物レンズを用いたが、一つの対物レンズにＢＤ光、ＣＤ光、ＤＶＤ光を入射させるようにしても良い。また、上記実施例では、３ビーム方式としてインライン方式が用いられたが、他の方式の３ビーム方式が用いられても良く、サブビーム受光用のセンサ群は、メインビーム受光用の４分割センサに対しトラック像方向に一列に並ばない構成もとられ得る。
【００９３】
この他、本発明の実施の形態は、特許請求の範囲に示された技術的思想の範囲内において、適宜、種々の変更が可能である。
【符号の説明】
【００９４】
１０１  …  半導体レーザ（第１の光源）
１０４  …  ２波長レーザ（第２の光源、第３の光源）
１０５  …  回折格子
１０７ａ  …  ダイクロイック面（結合素子）
１１６  …  ２波長対物レンズ（対物レンズ部）
１１７  …  ＢＤ対物レンズ（対物レンズ部）
１１８  …  分光素子
１１９  …  アナモレンズ（非点収差素子）
１２０  …  光検出器
Ｂ１〜Ｂ８  …  センサ（第１のセンサ群）
Ｃ０１〜Ｃ０４  …  ４分割センサ（第２のセンサ群）
Ｃ１１〜Ｃ１４  …  ４分割センサ（第２のセンサ群）
Ｃ２１〜Ｃ２４  …  ４分割センサ（第２のセンサ群）
Ｄ０１〜Ｄ０４  …  ４分割センサ（第３のセンサ群）
Ｄ１１〜Ｄ１４  …  ４分割センサ（第３のセンサ群）
Ｄ２１〜Ｄ２４  …  ４分割センサ（第３のセンサ群）
【図１】
2012014767.tif 000003
【図２】
2012014767.tif 000004
【図３】
2012014767.tif 000005
【図４】
2012014767.tif 000006
【図５】
2012014767.tif 000007
【図６】
2012014767.tif 000008
【図７】
2012014767.tif 000009
【図８】
2012014767.tif 000010
【図９】
2012014767.tif 000011
【図１０】
2012014767.tif 000012
【図１１】
2012014767.tif 000013